(57)【要約】【課題】この発明はマットレス本体の性能などの種々の情報を容易に知ることができるようにしたマットレス装置を提供することにある。【解決手段】マットレス本体１の一端部に、このマットレス本体に係る情報が表示された情報表示体１６を取り外し可能に設けた。【選択図】      図１
2005342230.tif 000002
【特許請求の範囲】
【請求項１】
マットレス本体の一端部に、このマットレス本体に係る情報が表示された情報表示体を取り外し可能に設けたことを特徴とするマットレス装置。
【請求項２】
上記情報表示体には収容保持部が設けられ、この収容保持部に情報が表示された表示部材が着脱可能に設けられていることを特徴とする請求項１記載のマットレス装置。
【請求項３】
上記情報表示体には上記情報が印刷されていることを特徴とする請求項１記載のマットレス装置。
【請求項４】
上記情報表示体は、上記マットレスの一端部に被着可能な袋状に形成されていることを特徴とする請求項１記載のマットレス装置。
【請求項５】
上記情報表示体は、底面部と一対の側面部を有し、底面部と少なくとも一方の側面部とはファスナによって開閉可能に連結されていることを特徴とする請求項４記載のマットレス装置。
【請求項６】
上記情報表示体は、透明で軟質の合成樹脂によって形成されていることを特徴とする請求項１記載のマットレス装置。
【発明の詳細な説明】
【技術分野】
【０００１】
この発明はベッドに用いられるマットレス装置に関する。
【背景技術】
【０００２】
ベッドに用いられるマットレス装置には、荷重に対して圧縮変形量が小さな硬いものや圧縮変形量が大きな柔らかいものがある。マットレス装置の硬さを異なるものにする場合、このマットレス装置のスプリングユニットを構成するばねの硬さや種類が異なるものが用いられる。
【０００３】
さらに、マットレス装置はスプリングユニットの上下面にクッション材が積層され、これら積層体が外装地によって被覆されており、マットレス装置によって上記クッション材や外装地に異なる材質のものが用いられている。
【０００４】
そして、このようにマットレス装置を構成するスプリングユニット、クッション材、及び外装地の種類が異なることで、それぞれのマットレス装置は特有の性能を有することになる。
【０００５】
従来、マットレス装置には、そのマットレス装置を構成するスプリングユニット、クッション材及び外装地の構造や材質、或いはマットレス装置が持つ特有の性能などの種々の情報が表示されていなかった。
【発明の開示】
【発明が解決しようとする課題】
【０００６】
そこで、販売店などにおいて、マットレス装置を展示販売するためには、マットレス装置に関する十分な知識を有する販売員を待機させておき、顧客の要求に応じて商品に関する性能や材質などの情報を説明して販売するということが行なわれていた。
【０００７】
しかしながら、マットレス装置を展示販売しているコーナに、マットレス装置に関する知識を有する販売員を常に待機させておくということは難しい。そのため、購入を希望する顧客が展示されているマットレス装置の性能などの情報を理解できずに、購入しないということがある。
【０００８】
この発明は、マットレス装置に関する種々の情報を簡単に表示できるようにして、販売効果を高めるようにしたマットレス装置を提供することにある。
【課題を解決するための手段】
【０００９】
この発明は、マットレス本体の一端部に、このマットレス本体に係る情報が表示された情報表示体を取り外し可能に設けたことを特徴とするマットレス装置にある。
【００１０】
上記情報表示体には収容保持部が設けられ、この収容保持部に情報が表示された表示部材が着脱可能に設けられていることが好ましい。
【００１１】
上記情報表示体には上記情報が印刷されていることが好ましい。
【００１２】
上記情報表示体は、上記マットレスの一端部に被着可能な袋状に形成されていることが好ましい。
【００１３】
上記情報表示体は、底面部と一対の側面部を有し、底面部と少なくとも一方の側面部とはファスナによって開閉可能に連結されていることが好ましい。
【００１４】
上記情報表示体は、透明で軟質の合成樹脂によって形成されていることが好ましい。
【発明の効果】
【００１５】
この発明によれば、マットレス本体に、このマットレス本体に係る情報が表示された情報表示体を取り外し可能に設けるため、購入希望者は情報表示体によってマットレス装置の性能などに関する情報を得ることができる。しかも、情報表示体を取り外して他のマットレス装置に利用することができる。
【発明を実施するための最良の形態】
【００１６】
以下、この発明の実施の形態を図面を参照して説明する。  
図１乃至図３はこの発明の第１の実施の形態を示し、図１に示すマットレス装置はマットレス本体１を備えている。このマットレス本体１は、図２に示すように矩形板状のスプリングユニット２を有する。このスプリングユニット２の上下面には、サイザルなどの耐摩耗性を有する保護材３と、ウレタンフォームなどのクッション材４が順次積層されている。
【００１７】
スプリングユニット２、保護材３及びクッション材４からなる積層体は外装地５によって被覆されている。この外装地５はスプリングユニット２の外周面に設けられたまち地６と、各クッション材４を被覆した鏡地７とからなり、まち地６の上下端と、上記鏡地７の周縁とはテープエッジ８によって縫合されている。
【００１８】
上記スプリングユニット２は、一本の線材によって多数のコイル部１１を連続して形成した複数の連続ばね体１２を平面形状が矩形状になるように並設し、その上下面の周縁に枠線１３をクリップ１４によって連結して構成されている。
【００１９】
この実施の形態では、スプリングユニット２を連続ばね体１２によって構成したが、コイルスプリングなどのほかのばね体を用いて構成されたり、同じ形状のばね体であっても硬さや太さの異なる線材を用いることで、荷重に対する圧縮度合、つまりクッション性能が異なる構成もある。
【００２０】
上記クッション材４を構成するウレタンフォームは、発泡度合などによって利用者に与える感触が異なり、外装地５は用いられる生地の種類によって強度や感触などが異なることになる。つまり、マットレス本体１を構成するスプリングユニット２、クッション材４及び外装地５は、用いられる材料や構造などによって異なる性能を呈することになる。
【００２１】
上記マットレス本体１の長手方向の一端部には情報表示体１６が取り外し可能に被着される。この情報表示体１６は透明或いは半透明の合成樹脂製のシートによって形成された袋部材１７を有する。
【００２２】
つまり、図３（ａ），（ｂ）に示すように袋部材１７は一端面が開放し、長さ寸法が上記マットレス本体１の幅寸法よりもやや長い箱形状に形成されていて、長手方向両端の一対の側壁１７ａと、底壁１７ｂの長手方向両端とはファスナ１８によって開閉可能に形成されている。
【００２３】
上記袋部材１７の上壁１７ｃの内面には収容保持部１９が形成されている。この収容保持部１９は、上記袋部材１７の上壁１７ｃの内面に、この上壁１７ｃよりも小さい合成樹脂製のシート２０の三側縁を接着或いは溶着することで、上記袋部材１７の開放した一端面に対応する一側が全長にわたって開放した袋状に形成されている。
【００２４】
上記収容保持部１９には矩形シート状の紙材や樹脂材などによって形成された情報表示部材２１が着脱可能に装着される。この情報表示部材２１には、マットレス本体１に関する種々の情報が記載されている。たとえば、スプリングユニット２を構成するばね体の種類、ばね体を構成する線材の種類及びスプリングユニット２の荷重に対する変形量である、スプリングユニット２の硬さ、クッション材４の材質や硬さ、外装地５の材質などが記入されている。
【００２５】
このような構成のマットレス装置によれば、たとえば展示販売する際に、マットレス本体１の一端部に情報表示体１６を被着し、この情報表示体１６の収容保持部１９に、マットレス本体１の種々の情報が記載された情報表示部材２１を収容保持しておく。袋部材１７は透明或いは半透明であるから、収容保持部１９の情報表示体２１に記載された情報を上面側から透視することができる。
【００２６】
それによって、展示場所を訪れた購入者は、店員に説明を聞かなくても、情報表示部材２１に記載された情報によって展示されたマットレス装置の性能などに関する情報を知り得ることができるから、たとえば購入条件に適応した性能のマットレス装置を選択することが可能となる。
【００２７】
すなわち、販売店では、ベッド装置の販売コーナに、マットレス装置に関する十分な知識を有する販売員を常に待機させておかなくても、購入者に大きな不便を感じさせずに、好みのマットレス装置を選択してもらうことができるから、購入者にとっては非常に便利であり、販売店にとっては購入者に不便をかけることなく、人員の配置効率を向上させることが可能となる。したがって、これらのことにより、販売効果の促進を図ることができる。
【００２８】
上記情報表示体１６の袋部材１７は、底壁１７ｂと一対の側壁１７ａとがファスナ１８によって開閉可能に連結されている。そのため、情報表示体１６をマットレス本体１に対して着脱する際、上記ファスナ１８によって底壁１７ｂと側壁１７ａとの連結を開放すれば、情報表示体１６の着脱を容易に行なうことができる。
【００２９】
とくに、情報表示体１６をマットレス本体１に装着したとき、袋部材１７がマットレス本体１から簡単に外れないよう、この袋部材１７をマットレス本体１の幅寸法や高さ寸法に比べてわずかに小さく形成することがある、そのような場合、上記袋部材１７がマットレス本体１１に対して着脱し難くなることがある。しかしながら、ファスナ１８によって底壁１７ｂと側壁１７ａとの連結状態を開放すれば、上記マットレス本体１に対して上記袋部材１７を容易に着脱することが可能となる。
【００３０】
種々の情報が記載された情報表示部材２１を、袋部材１７の上壁１７ｃの内面に形成された収容保持部１９に着脱可能に設けるようにした。しかも、情報表示体１６はマットレス本体１に対して着脱可能に被着されている。そのため、情報表示体１６は、情報表示部材２１を交換することによって、性能の異なるマットレス本体１に装着して使用することもできる。
【００３１】
図４はこの発明の第２の実施の形態を示す情報表示体１６Ｂの斜視図である。この実施の形態の情報表示体１６Ｂは、袋部材１７の上壁１７ｃの上面に、マットレス本体１に関する情報が印刷された印刷部２３が設けられている。
【００３２】
このような構成の情報表示体１６Ｂによれば、第１の実施の形態のように情報表示部材２１を収容保持部１９に収容した場合のように、情報表示部材２１が脱落したり、異なる性能のものを間違って差し込むなどのことを防止することができる。
【００３３】
図５はこの発明の第３の実施の形態を示す。この実施の形態の情報表示体１６Ｃは、第１、第２の実施の形態の袋部材１７からなる情報表示体１６，１６Ｂに代えて帯状の合成樹脂シート２５を用いるようにしたもので、マットレス本体１に装着する際、長手方向の両端部２６をマットレス本体１の幅方向両端部の下面側に折り込むようにした。上記合成樹脂シート２５の中間部の内面には、第１の実施の形態と同様、情報表示部材２１を挿脱することができる収容保持部１９が形成されている。
【００３４】
このような構成の情報表示体１６Ｃは、合成樹脂シート２５を帯状とし、その両端部２６をマットレス本体１の幅方向両端部の下面側に折り込むようにしているため、第１、第２の実施の形態の袋部材１７に比べ、マットレス本体１に対する着脱を容易に行なうことが可能となる。
【００３５】
なお、この第２の実施の形態において、情報表示部材２１を設ける代わりに、合成樹脂プレート２５の上面に第２の実施の形態のように印刷部２３を設けるようにしても差し支えない。
【００３６】
上記第１、第２の実施の形態では袋部材の底壁の両端に位置する一対の側壁を、上記底壁に対してファスナ１８により開閉可能に連結したが、一対の側壁のどちらか一方だけをファスナによって開閉可能に連結するだけであってもよい。つまり、少なくとも一方の側壁が開閉可能であれば、袋部材をマットレス本体に対して容易に着脱することが可能となる。
【図面の簡単な説明】
【００３７】
【図１】この発明の第１の実施の形態の情報表示体が被着されたマットレス装置の斜視図。
【図２】マットレス本体の内部構造を示す一部断面した正面図。
【図３】（ａ）は情報表示体の斜視図、（ｂ）は断面図。
【図４】この発明の第２の実施の形態の情報表示体の斜視図。
【図５】この発明の第３の実施の形態の情報表示体の斜視図。
【符号の説明】
【００３８】
１…マットレス本体、２…スプリングユニット、４…クッション材、５…外装地、１６，１６Ｂ、１６Ｃ…情報表示体、１７…袋部材、１８…ファスナ、１９…収容保持部、２１…情報表示部材。
【図１】
2005342230.tif 000003
【図２】
2005342230.tif 000004
【図３】
2005342230.tif 000005
【図４】
2005342230.tif 000006
【図５】
2005342230.tif 000007